(57)【要約】【課題】  従来のオンデマンド印刷発注システムを改良する。【解決手段】  オンデマンド印刷発注システムにおいて、オンデマンド印刷発注システムの概要説明及び利用方法の閲覧用ページを有するシステム概要と、前記システムでの提供サービスの案内を表示するサービス案内と、常備用紙・特注用紙等の説明及び案内を表示する用紙案内と、製品加工の種類・説明及び案内を表示する加工案内と、から構成されることを特徴とするフルカラーオンデマンド印刷サービス処理管理システムの提供。【選択図】  図１
2005293452.tif 000002
【特許請求の範囲】
【請求項１】
オンデマンド印刷発注システムにおいて、オンデマンド印刷発注システムの概要説明及び利用方法の閲覧用ページを有するシステム概要と、前記システムでの提供サービスの案内を表示するサービス案内と、常備用紙・特注用紙等の説明及び案内を表示する用紙案内と、製品加工の種類・説明及び案内を表示する加工案内と、から構成されることを特徴とするフルカラーオンデマンド印刷サービス処理管理システム。
【請求項２】
前項の処理管理システムにおいて、新規注文処理・再印刷（増刷）処理・テンプレート注文処理・見積検討処理・受領情報入力処理とから構成される社外処理管理システムと、顧客情報登録・品目情報登録・用紙情報登録・テンプレート情報登録・後加工情報登録・受注登録処理・テスト印刷処理・本印刷処理・後加工納品処理・納品情報登録処理・データバックアップ処理・出荷情報処理・請求処理・受領督促処理・顧客校正用ＰＤＦ作成処理・受注変更処理・受注取消処理・発注データ受取処理とから構成される社内処理管理システムと、から成る請求項１記載のフルカラーオンデマンド印刷サービス処理管理システム。
【請求項３】
請求項１記載の処理管理システムにおける新規注文処理が、紙種類・後加工種類・数量及び印刷方式の完成商品情報から商品価格を算出して画面上に表示する見積検討と、入稿データ・使用アプリケーション・後加工内容及び部数の登録画面を表示する入稿データ登録画面表示と、前記入力内容を確認して登録を行う入稿データ登録実行と、前記入稿データの正否を画面に表示する入稿データ確認画面表示と、前記入稿データの正否を確認する入稿データ確認画面実行と、前記登録内容すべての正否を確認する画面を表示する最終確認面表示と、前記内容の最終確認をする最終確認実行と、前記で登録内容で納品日を算出する納品日設定と、前記算出された納品日を付けかつ注文完了となる画面を表示する注文登録完了と、前記算出された納品日を付けかつ承認後に注文完了となる画面を表示する注文登録完了と、前記完了見積を購買システム用データに変換して送信を行う購買システム見積データ送信と、から成る請求項１及び２記載のフルカラーオンデマンド印刷サービスの処理管理システム。
【請求項４】
請求項１記載の処理管理システムにおける再印刷（増刷）処理が、注文者ＩＤ及び注文番号をデータベースより検索する過去注文情報検索と、前記の注文者ＩＤ及び注文番号より過去の注文を検索して過去注文一覧を作成しかつ選択できる画面を表示する過去注文情報一覧選択表示と、前記の一覧より今回再印刷（増刷）を依頼する一注文を選択し実行する過去注文情報一覧選択実行と、前記選択された注文の入稿データをＰＤＦで表示する原稿確認（ＰＤＦ）と、紙種類・後加工種類・数量及び印刷方式の完成商品の情報から商品価格を算出して画面上に表示する見積検討と、前記の検討結果を反映して注文部数を入力できる画面を表示する注文部数入力と、前記で登録（入力）した内容すべての正否確認の画面を表示する最終確認画面表示と、前記内容の最終確認をする最終確認実行と、前記登録（入力）内容の納品日を算出する納品日設定と、前記で算出の納品日を付けて注文完了となる画面を表示する注文登録完了と、前記完了見積の内容を購買システム用データに変換して送信を行う購買システム見積データ送信と、前記選択内容の不正エラーを表示するエラー表示と、前記入力内容の不正エラーを表示するエラー表示と、から成る請求項１及び２記載のフルカラーオンデマンド印刷サービス処理管理システム。
【請求項５】
請求項１記載の処理管理システムにおけるテンプレート注文処理が、紙種類・後加工種類・数量及び印刷方式の完成商品の情報から商品価格を算出し画面上に表示する見積検討と、登録されている品目データを検索して品目一覧を作成して選択する画面を表示する品目選択画面表示と、前記一覧より発注する一品目を選択して実行する品目選択実行と、紙種別・印刷面・ページ数・部数及び後加工の各項目を入力する画面を表示する注文内容入力画面表示と、前記入力の項目で確認してデータベースに登録する注文内容入力実行と、上記品目に対応するテンプレートを検索する商品対応テンプレート検索と、前記の検索内容からテンプレート一覧を作成して選択できる画面を表示するテンプレート一覧選択表示と、前記一覧より一テンプレートを選択して実行するテンプレート一覧選択実行と、前記の検索内容から差込画像一覧を作成して選択できる画面を表示する差込画像選択画面表示と、前記一覧より差込画像を選択して実行する差込画像選択実行と、前記選択の差込画像で正否を確認する画面を表示する差込画像選択確認と、使用するテキストデータを入力できる画面を表示するテキストデータ入力画面表示と、前記入力内容を確認してデータベースに登録するテキストデータ入力実行と、前記入力の正否を確認させる画面を表示するテキストデータ入力確認と、使用する入稿データを登録できる画面を表示する差込入稿データ登録画面表示と、前記登録された内容を確認してデータベースに登録する差込入稿データ登録実行と、前記登録内容の正否を確認させる画面を表示する差込入稿データ確認画面表示と、上記で登録（入力）した内容のすべてを確認する画面を表示する最終確認画面表示と、前記内容の正否を確認する最終確認実行と、上記登録（入力）内容の納品日を算出する納品日設定と、前記算出の納品日を付けて注文完了となる画面を表示する注文登録完了と、前記完了見積の内容を購買システム用データに変換して送信を行う購買システム見積データ送信と、品目選択実行の選択内容不備エラーを表示するエラー表示と、注文内容入力実行で入力内容の不備エラーを表示するエラー表示と、から成る請求項１及び２記載のフルカラーオンデマンド印刷サービスの処理管理システム。
【請求項６】
請求項１記載の処理管理システムにおける見積検討処理が、データベースに登録されている商品アイテム一覧を作成して選択できる画面を表示する商品アイテム一覧選択と、前記の一覧より一商品アイテムを選択し実行する商品アイテム一覧選択実行と、前記選択された商品アイテムに対応する用紙を検討する対応用紙検索と、前記の検索結果より対応用紙一覧を作成して選択できる画面を表示する対応用紙選択一覧画面表示と、前記の一覧より一商品アイテムを選択し実行する対応用紙選択実行と、印刷する面が片面か両面かを選択する画面を表示する片面及び両面印刷選択と、一部当りの印刷枚数を入力する画面を表示する一部当り印刷枚数選択と、部数を入力する画面を表示する印刷部数入力と、前記選択された商品アイテムに対応する後加工検索する対応後加工検索と、前記の検索結果より後加工一覧を作成して選択できる画面を表示する後加工一覧選択画面表示と、前記の一覧より一後加工を選択し実行する後加工一覧選択実行と、上記選択かつ入力された内容を元に見積金額を算出する見積金額算出と、前記見積内容を確認できる画面を表示する見積内容表示と、上記登録（入力）した内容がすべて正しいかどうかを確認する画面を表示する見積内容確認と、前記見積内容が正しいかどうか確認させる最終確認画面表示と、前記の内容が正しいかどうかを確認させる最終確認実行と、上記見積の番号を検索する見積番号付与と、前記付与見積番号を付けかつ見積内容をＰＤＦ化して画面に表示する見積書作成（ＰＤＦ）と、前記見積算出が完了となる画面を表示する見積り検討完了と、から成る請求項１及び２記載のフルカラーオンデマンド印刷サービス処理管理システム。
【請求項７】
請求項１記載の処理管理システムにおける受領情報入力処理が、注文者ＩＤ及びパスワードより未受領注文を検索する未受領注文情報検索と、前記の検索内容から未受領情報一覧を作成して選択できる画面を表示する未受領情報一覧選択画面表示と、前記の一覧より受領する注文を選択して実行する未受領情報一覧選択実行と、受領情報登録が完了となる画面を表示する受領情報登録完了と、前記選択の不備エラーを表示するエラー表示と、から成る請求項１及び２記載のフルカラーオンデマンド印刷サービス処理管理システム。
【請求項８】
請求項１記載の処理管理システムにおける顧客情報登録が、顧客名を入力する画面を表示する顧客名入力と、前記の顧客名をデータベースより検索して新規顧客か登録済顧客かを確認する該当顧客情報検索と、発注拠点・本社住所地・取引担当代表者名・連絡先・納品先情報・請求先情報・承認方法の新規登録又は内容の変更登録を行う登録情報入力と、顧客情報の登録を完了する登録完了とから成る、請求項１及び２記載のフルカラーオンデマンド印刷サービス処理管理システム。
【請求項９】
請求項１記載の処理管理システムにおける品目情報登録が、品目名を入力する画面を表示する品目名入力と、前記の品目名をデータベースより検索して新規品目か登録済品目かを確認する該当品目情報検索と、対応用紙・基本料金・対応後加工などの新規登録又は内容の変更登録を行う登録情報入力と、上記の登録品目毎に基本納期の登録を行う納期情報入力と、前記品目情報の登録を完了する登録完了と、から成る請求項１及び２記載のフルカラーオンデマンド印刷サービス処理管理システム。
【請求項１０】
請求項１記載の処理管理システムにおける用紙情報登録が、用紙名を入力する画面を表示する用紙名入力と、前記の用紙名をデータベースより検索しかつ新規用紙か登録用紙かを確認する該当用紙情報検索と、適応価格・基本料金などの新規登録又は内容の変更登録を行う登録情報入力と、上記の登録用紙毎に基本納期の登録を行う納期情報入力と、用紙情報の登録を完了する登録完了と、から成る請求項１及び２記載のフルカラーオンデマンド印刷サービス処理管理システム。
【請求項１１】
請求項１記載の処理管理システムにおけるテンプレート情報登録が、テンプレート名を入力する画面を表示するテンプレート名入力と、前記のテンプレートをデータベースより検索しかつ新規テンプレートか登録済テンプレートかを確認する該当テンプレート情報検索と、新規登録・変更・削除・表示制限の登録を行うテンプレート情報登録と、前記テンプレート情報の登録を完了する登録完了と、から成る請求項１及び２記載のフルカラーオンデマンド印刷サービス処理管理システム。
【請求項１２】
請求項１記載の処理管理システムにおける後加工情報登録が、後加工名を入力する画面を表示する後加工名入力と、前記の後加工名をデータベースより検索しかつ新規後加工か登録済後加工かを確認する該当後加工情報検索と、適応価格・基本料金などの新規登録又は内容の変更登録を行う登録情報入力と、上記の登録後加工毎に基本納期の登録を行う納期情報入力と、後加工情報の登録を完了する登録完了と、から成る請求項１及び２記載のフルカラーオンデマンド印刷サービス処理管理システム。
【請求項１３】
請求項１記載の処理管理システムにおける受注登録処理が、承認済又は承認不要の発注データより未受注の発注データを検索する承認済未受注データ発注検索と、前記の検索結果より発注データをデータベースに登録する受注管理情報追加登録と、上記の検索結果より発注データに付随する入稿データをデータベースに登録する入稿データ情報追加登録と、上記の検索結果より受注情報一覧表を作成し印刷する受注情報一覧作成印刷と、から成る請求項１及び２記載のフルカラーオンデマンド印刷サービス処理管理システム。
【請求項１４】
請求項１記載の処理管理システムにおけるテスト印刷処理が、受注情報一覧を参照しテスト印刷を行う受注で使用しているアプリケーションを起動する対応アプリケーションの起動と、前記で起動したアプリケーションより印刷を行うテスト印刷と、色具合・レイアウトバランスの校正を使う校正と、前記の校正結果より必要があれば発注者に問い合わせを行う問合と、前記の問い合わせのうえ差替えるデータを再入稿して再登録を行う入稿データの再登録と、前記入稿データの再登録で生じた受注内容の変更を行う受注変更と、上記問い合わせのうえ注文の取消しを行う注文取消と、注文の取消しで生じた受注情報の取消しを行う受注取消と、問い合わせのうえ業務オペレーターが入稿されたデータのマスターの手直しを行う微調整と、から成る請求項１及び２記載のフルカラーオンデマンド印刷サービス処理管理システム。
【請求項１５】
請求項１記載の処理管理システムにおける本印刷処理が、テスト印刷を参照し本印刷を行う受注で使用しているアプリケーションを起動する対応アプリケーション起動と、前記で起動したアプリケーションより印刷を行う本印刷と、印刷物を確認し汚れ・破損・印刷数などのチェックを行う検品と、から成る請求項１及び２記載のフルカラーオンデマンド印刷サービス処理管理システム。
【請求項１６】
請求項１記載の処理管理システムにおける後加工納品処理が、受注データより後加工指示書を作成して印刷を行う後加工指示書作成と、仕上がった印刷物を社外加工用の梱包を行う梱包と、前記仕上がった印刷物を社外先に出荷する出荷と、前記の社外先で後加工を行う後加工処理と、上記の社外より加工済み印刷物を搬入する搬入と、社内で後加工を行う社内後加工処理と、加工済の印刷物を確認し汚れ・破損・印刷数などのチェックを行う検品と、前記加工済の印刷物を顧客用に納品書とともに梱包を行う梱包と、前記加工済の印刷物を指定された発送先に発送する納品発送と、から成る請求項１及び２記載のフルカラーオンデマンド印刷サービス処理管理システム。
【請求項１７】
請求項１記載の処理管理システムにおける納品情報登録処理が、受注済データより未納品分のデータを検索する受注済未納品発注検索と、前記の検索結果より納品データをデータベースに登録する納品情報追加登録と、から成る請求項１及び２記載のフルカラーオンデマンド印刷サービス処理管理システム。
【請求項１８】
請求項１記載の処理管理システムにおけるデータバックアップ処理が、バックアップ対象となる入稿データを検索するバックアップ対象データ検索と、前記の検索結果を元にバックアップ行う入稿データで使用しているアプリケーションを起動する対応アプリケーションの起動と、前記対応アプリケーションより入稿データのＰＤＦファイルを作成するＰＤＦ化実行と、前記作成したＰＤＦファイルをＤＶＤに書き込むバックアップ処理と、から成る請求項１及び２記載のフルカラーオンデマンド印刷サービス処理管理システム。
【請求項１９】
請求項１記載の処理管理システムにおける出荷情報処理が、納品済データより未出荷分のデータを検索する納品対象発注データ検索と、前記の検索結果より出荷情報データをデータベースに登録する出荷情報追加登録と、前記で登録された出荷データを配信する出荷情報配信と、から成る請求項１及び２記載のフルカラーオンデマンド印刷サービス処理管理システム。
【請求項２０】
請求項１記載の処理管理システムにおける請求処理が、受領済データより該当締日までの未請求分のデータを検索する受領済未請求発注データ検索と、前記の検索結果より請求情報データをデータベースに登録する請求情報作成と、前記で登録された請求情報データより請求データを作成する請求データ作成と、前記で作成した請求データを送信する請求データ送信と、から成る請求項１及び２記載のフルカラーオンデマンド印刷サービス処理管理システム。
【請求項２１】
請求項１記載の処理管理システムにおける受領督促処理が、納品済データより未受領分のデータを検索する納品済未受領発注データ検索と前記の検索結果より督促情報データをデータベースに登録する督促情報作成と、前記で登録された督促情報データより督促用メールを作成する督促メール作成と、発注元に送信する督促メール配信と、から成る請求項１及び２記載のフルカラーオンデマンド印刷サービス処理管理システム。
【請求項２２】
請求項１記載の処理管理システムにおける顧客校正用ＰＤＦ作成処理が、校正出し対象となる発注データを検索する校正出対象発注データ検索と、前記の検索結果を元に校正出対象入稿データで使用しているアプリケーションを起動する対応アプリケーションの起動と、前記の対応アプリケーションより入稿データのＰＤＦファイルを作成するＰＤＦ化実行と、上記の検索結果を元に校正依頼用メールの作成を行う校正依頼メール作成と、発注元に送信する校正依頼メール送信と、から成る請求項１及び２記載のフルカラーオンデマンド印刷サービス処理管理システム。
【請求項２３】
請求項１記載の処理管理システムにおける受注変更処理が、受注変更を行う受注の受注番号を入力し受注内容を検索する変更対象発注データ検索と、前記の受注内容に変更された内容をデータベースに登録する受注内容変更登録と、受注情報の変更登録を完了する受注変更完了と、から成る請求項１及び２記載のフルカラーオンデマンド印刷サービス処理管理システム。
【請求項２４】
請求項１記載の処理管理システムにおける受注取消処理が受注取消しを行う受注の受注番号を入力して受注内容を検索する取消対象発注データ検索と、前記の受注情報をデータベースより削除する取消実行と、前記の受注情報を取消して登録を完了する受注取消完了と、から成る請求項１及び２記載のフルカラーオンデマンド印刷サービス処理管理システム。
【請求項２５】
請求項１記載の処理管理システムにおける発注データ受取処理が、購買システムで承認された発注データを受け取る承認済発注データ受取と、前記で受け取った発注データをデータベースに登録する発注データ登録と、から成る請求項１及び２記載のフルカラーオンデマンド印刷サービス処理管理システム。
【発明の詳細な説明】
【技術分野】
【０００１】
本発明はオンデマンド印刷処理方法に関するが、詳しくはフルカラーのオンデマンド印刷サービス処理管理システムに関するものである。
【背景技術】
【０００２】
従来のオンデマンド印刷用情報管理方法としては、例えば特開２００２−２８５４９８号のオンデマンド印刷用情報記録用紙が開示されている。この従来発明は、優れた高速・両面印刷適性や印刷作業性を有するとともにオンデマンド印刷用の情報記録用紙の特性、特に寸法安定性や記録性を有する情報記録用紙を提供することを課題とし、縦方向の引っ張り強度が５．５ｋＮ／ｍ以上、ベック平滑度が７０秒以上、不透明度が８９％以上であり、かつ紙の内添剤として高級樹脂酸と多価アルコールの飽和エステルを含有しているオンデマンド印刷用情報記録用紙を提供するものである。すなわち、従来公知のオンデマンド印刷用の情報管理はあくまでも記録用紙を用いるものである。
【特許文献１】特開２００２−２８５４９８公報
【特許文献２】特開２００３−２４２３８８公報  この従来公知のシステムは、オンデマンド印刷情報記録用紙とするための原料パルプは、化学パルプ（針葉樹の晒しまたは未晒しクラフトパルプ・広葉樹の晒しまたは未晒しクラフトパルプ等）、機械パルプ（グランドパルプ・サーモメカニカルパルプ・ケミサーモメカニカルパルプ等）、脱墨パルプを単独または任意の割合で混合して使用するが、コストや資源の事情からＬＢＫＰを主として、これにＮＢＫＰや上質系ＤＩＰ（脱墨パルプ）を適宣配合する。また抄紙時のＰＨは、酸性・中性・アルカリ性のいずれでも良く、使用する填科は抄紙のＰＨに適した公知のものを選択する。填科としては、カオリン・タルク・水和珪酸・炭酸カルシウム・ホワイトカーボン・酸化チタン・剛性樹脂填科を単独であるいは組み合わせて使用する。このときの填科は、灰分として用紙の１０重層％以下となるようにとどめるべきである。これより多いと環境条件による変動を受けやすく、また、紙粉の問題が発生しやすいからである。更に、必要に応じてサイズ剤、硫酸バンド・紙力増強剤・寸法安定化剤・歩留向上剤・着色剤・染料・消泡剤等の助剤を配合して使用する。具体的には、通常の紙を作製するのと同様の方法で原料にＬＢＫＰとＮＢＫＰを４：１程度を叩解したパルプスラリーに、硫酸バンド・源粉・ロジンのサイズ剤等を加えた抄紙スラリーを長期あるいはツインワイヤー抄紙機等で抄紙を行う。
【０００３】
また、最近になってコンテンツのオンデマンド印刷販売方法として、例えば特開２００３−２４２３８８号で開示されている。この方法は、顧客が希望したコンテンツを、その場で紙媒体に印刷物としての体裁を整えた形で速やかに印刷して販売できるようにするものであって、提供された各コンテンツデータをジャンル別に分類し、ジャンル毎またはジャンルの組み合わせ毎に対応する全てのコンテンツデータを対象とする印刷用編集処理で組版情報を生成するホストコンピュータと、ホストコンピュータ３からのジャンル毎またはジャンルの組み合わせ毎の組版情報及び対応するコンテンツデータ群を受信して保存する端末出力印刷機と、ジャンル毎またはジャンルの組み合わせ毎のコンテンツ一覧から顧客に対し希望のコンテンツを選択させ、かつ選択されたコンテンツのジャンルまたはジャンルの組み合わせに対応する全てのコンテンツデータを対応する組版情報に従って組版して紙媒体に印刷する印刷機とによって構成されている。すなわち、この従来方法は、顧客が希望したコンテンツを販売するのに好適なコンテンツのオンデマンド印刷販売方法に係り、特に顧客が希望したコンテンツをその場で紙媒体に印刷して印刷物として販売するのに好適なコンテンツのオンデマンド印刷販売方法及びそのための支援方法に関するものである。
【発明の開示】
【発明が解決しようとする課題】
【０００４】
このような従来方法に改良を加え、フルカラー専用のオンデマンド印刷処理管理システムを開発したところに、本発明が解決しようとする課題を有する。
【課題を解決するための手段】
【０００５】
本発明は上記の如き課題を解決するために開発したものであって、オンデマンド印刷発注システムにおいて、オンデマンド印刷発注システムの概要説明及び利用方法の閲覧用ページを有するシステム概要と、前記システムでの提供サービスの案内を表示するサービス案内と、常備用紙・特注用紙等の説明及び案内を表示する用紙案内と、製品加工の種類・説明及び案内を表示する加工案内と、から構成されるシステムから構成されることを特徴とするフルカラーオンデマンド印刷サービス処理管理システムの提供にあり、また前記の処理管理システムにおいて新規注文処理・再印刷（増刷）処理・テンプレート注文処理・見積検討処理・受領情報入力処理とから構成される社外処理管理システムと、顧客情報登録・品目情報登録・用紙情報登録・テンプレート情報登録・後加工情報登録・受注登録処理・テスト印刷処理・本印刷処理・後加工納品処理・納品情報登録処理・データバックアップ処理・出荷情報処理・請求処理・受領督促処理・顧客校正用ＰＤＦ作成処理・受注変更処理・受注取消処理・発注データ受取処理とから構成される社内及び管理システムとから成るフルカラーオンデマンド印刷サービス処理管理システムの提供にある。
【０００６】
更に本発明システムにおける新規注文処理が紙種類・後加工種類・数量及び印刷方式の完成商品情報から商品価格を算出して画面上に表示する見積検討と、入稿データ・使用アプリケーション・後加工内容及び部数の登録画面を表示する入稿データ登録画面表示と、前記入力内容を確認して登録を行う入稿データ登録実行と、前記入稿データの正否を画面に表示する入稿データ確認画面表示と、前記入稿データの正否を確認する入稿データ確認画面実行と、前記登録内容すべての正否を確認する画面を表示する最終確認面表示と、前記内容の最終確認をする最終確認実行と、前記で登録内容で納品日を算出する納品日設定と、前記算出された納品日を付けかつ注文完了となる画面を表示する注文登録完了と、前記算出された納品日を付けかつ承認後に注文完了となる画面を表示する注文登録完了と、前記完了見積を購買システム用データに変換して送信を行う購買システム見積データ送信から成り、また前記の処理管理システムにおける再印刷（増刷）処理が注文者ＩＤ及び注文番号をデータベースより検索する過去注文情報検索と、前記の注文者ＩＤ及び注文番号より過去の注文を検索して過去注文一覧を作成しかつ選択できる画面を表示する過去注文情報一覧選択表示と、前記の一覧より今回再印刷（増刷）を依頼する一注文を選択し実行する過去注文情報一覧選択実行と、前記選択された注文の入稿データをＰＤＦで表示する原稿確認（ＰＤＦ）と、紙種類・後加工種類・数量及び印刷方式の完成商品の情報から商品価格を算出して画面上に表示する見積検討と、前記の検討結果を反映して注文部数を入力できる画面を表示する注文部数入力と、前記で登録（入力）した内容すべての正否確認の画面を表示する最終確認画面表示と、前記内容の最終確認をする最終確認実行と、前記登録（入力）内容の納品日を算出する納品日設定と、前記で算出の納品日を付けて注文完了となる画面を表示する注文登録完了と、前記完了見積の内容を購買システム用データに書換して送信を行う購買システム見積データ送信と、前記選択内容の不正エラーを表示するエラー表示と、前記入力内容の不正エラーを表示するエラー表示とから成り、また前記の処理管理システムにおけるテンプレート注文処理が紙種類・後加工種類・数量及び印刷方式の完成商品の情報から商品価格を算出し画面上に表示する見積検討と、登録されている品目データを検索して品目一覧を作成して選択する画面を表示する品目選択画面表示と、前記一覧より発注する一品目を選択して実行する品目選択実行と、紙種別・印刷面・ページ数・部数及び後加工の各項目を入力する画面を表示する注文内容入力画面表示と、前記入力の項目で確認してデータベースに登録する注文内容入力実行と、上記品目に対応するテンプレートを検索する商品対応テンプレート検索と、前記の検索内容からテンプレート一覧を作成して選択できる画面を表示するテンプレート一覧選択表示と、前記一覧より一テンプレートを選択して実行するテンプレート一覧選択実行と、前記の検索内容から差込画像一覧を作成して選択できる画面を表示する差込画像選択画面表示と、前記一覧より差込画像を選択して実行する差込画像選択実行と、前記選択の差込画像で正否を確認する画面を表示する差込画像選択確認と、使用するテキストデータを入力できる画面を表示するテキストデータ入力画面表示と、前記入力内容を確認してデータベースに登録するテキストデータ入力実行と、前記入力の正否を確認させる画面を表示するテキストデータ入力確認と、使用する入稿データを登録できる画面を表示する差込入稿データ登録画面表示と、前記登録された内容を確認してデータベースに登録する差込入稿データ登録実行と、前記登録内容の正否を確認させる画面を表示する差込入稿データ確認画面表示と、上記で登録（入力）した内容のすべてを確認する画面を表示する最終確認画面表示と、前記内容の正否を確認する最終確認実行と、上記登録（入力）内容の納品日を算出する納品日設定と、前記算出の納品日を付けて注文完了となる画面を表示する注文登録完了と、前記完了見積の内容を購買システム用データに変換して返信を行う購買システム見積データ送信と、品目選択実行の選択内容不備エラーを表示するエラー表示と、注文内容入力実行で入力内容の不備エラーを表示するエラー表示とから成るり、また前記の処理管理システムにおける見積検討処理がデータベースに登録されている商品アイテム一覧を作成して選択できる画面を表示する商品アイテム一覧選択と、前記の一覧より一商品アイテムを選択し実行する商品アイテム一覧選択実行と、前記選択された商品アイテムに対応する用紙を検討する対応用紙検索と、前記の検索結果より対応用紙一覧を作成して選択できる画面を表示する対応用紙選択一覧画面表示と、前記の一覧より一商品アイテムを選択し実行する対応用紙選択実行と、印刷する面が片面か両面かを選択する画面を表示する片面及び両面印刷選択と、一部当りの印刷枚数を入力する画面を表示する一部当り印刷枚数選択と、部数を入力する画面を表示する印刷部数入力と、前記選択された商品アイテムに対応する後加工検索する対応後加工検索と、前記の検索結果より後加工一覧を作成して選択できる画面を表示する後加工一覧選択画面表示と、前記の一覧より一後加工を選択し実行する後加工一覧選択実行と、上記選択かつ入力された内容を元に見積金額を算出する見積金額算出と、前記見積内容を確認できるがめを表示する見積内容表示と、前記見積内容が正しいかどうか確認させる画面を表示する最終確認画面表示と、前記の内容が正しいかどうかを確認させる最終確認実行と、上記見積の番号を検索する見積番号付与と、前記付与見積番号を付けかつ見積内容をＰＤＦ化して画面に表示する見積書作成（ＰＤＦ）と、前記見積算出が完了となる画面を表示する見積り検討完了とから成り、また前記の処理管理システムにおける受領情報入力処理が注文者ＩＤ及びパスワードより未受領注文を検索する未受領注文情報検索と、前記の検索内容から未受領情報一覧を作成して選択できる画面を表示する未受領情報一覧選択画面表示と、前記の一覧より受領する注文を選択して実行する未受領情報一覧選択実行と、受領情報登録が完了となる画面を表示する受領情報登録完了と、前記選択の不備エラーを表示するエラー表示とから成り、また前記の処理管理システムにおける顧客情報登録が、顧客名を入力する画面を表示する顧客名入力と、前記の顧客名をデータベースより検索して新規顧客か登録済顧客かを確認する該当顧客情報検索と、発注拠点・本社住所地・取引担当代表者名・連絡先・納品先情報・請求先情報・承認方法の新規登録又は内容の変更登録を行う登録情報入力と顧客の情報を登録完了する登録完了とから成り、また前記の処理管理システムにおける品目情報登録が品目名を入力する画面を表示する品目名入力と、前記の品目名をデータベースより検索して新規品目か登録済品目かを確認する該当品目情報検索と、対応用紙・基本料金・対応後加工などの新規登録又は内容の変更登録を行う登録情報入力と上記の登録品目毎に基本納期の登録を行う納期情報入力と、前記品目情報の登録を完了する登録完了とから成り、また前記の処理管理システムにおける用紙情報登録処理と、用紙名を入力する画面を表示する用紙名入力と、前記用紙名をデータベースより検索しかつ新規用紙か登録用紙かを確認する該当用紙情報検索と、適応価格・基本料金などの新規登録又は内容の変更登録を行う登録情報入力と、登録用紙毎に基本納期の登録を行う納期情報入力と、用紙情報の登録を完了する登録完了とから成り、また前記の処理管理システムにおけるテンプレート情報登録がテンプレート名を入力する画面を表示するテンプレート名入力と、前記のテンプレートをデータベースより検索し、かつ新規テンプレートか登録済テンプレートかを確認する該当テンプレート情報検索と、新規登録・変更・削除・表示制限の登録を行うテンプレート情報登録と、テンプレート情報の登録を完了する登録完了とから成り、また前記の処理管理システムにおける後加工情報登録が後加工名を入力する画面を表示する後加工名入力と、前記の後加工名をデータベースより検索しかつ新規後加工か登録済後加工かを確認する該当後加工情報検索と、適応価格・基本料金などの新規登録又は内容の変更登録を行う登録情報入力と、上記の登録後加工毎に基本納期の登録を行う納期情報入力と、後加工情報の登録を完了する登録完了とから成り、また前記の処理管理システムにおける受注登録処理が承認済又は承認不要の発注データより未受注の発注データを検索する承認済未受注データ発注検索と、前記の検索結果より発注データをデータベースに登録する受注管理情報追加登録と、上記の検索結果より発注データに付随する入稿データをデータベースに登録する入稿データ情報追加登録と上記の検索結果より受注情報一覧表を作成し印刷する受注情報一覧作成印刷とから成り、また前記の処理管理システムにおけるテスト印刷処理が受注情報一覧を参照しテスト印刷を行う受注で使用しているアプリケーションを起動する対応アプリケーションの起動と、前記で起動したアプリケーションより印刷を行うテスト印刷と、色具合・レイアウトバランスの校正と、前記校正校正結果より必要があれば発注者に問い合わせを行う問合と、前記の問い合わせのうえ、差替えるデータを再入稿して再登録を行う入稿データの再登録と、前記入稿データの再登録で生じた受注内容の変更を行う受注変更と、上記問い合わせのうえ注文の取消しを行う注文取消と、注文の取消しで生じた受注情報の取消しを行う注文取消と、問い合わせのうえ業務オペレーターが入稿されたデータのマスターの手直しを行う微調整とから成り、また前記の処理管理システムにおける本印刷処理がテスト印刷を参照し本印刷を行う受注で使用しているアプリケーションを起動する対応アプリケーション起動と、前記で起動したアプリケーションより印刷を行う本印刷と、印刷物を確認し汚れ・破損・印刷数などのチェックを行う検品とから成り、また前記の処理管理システムにおける後加工・納品処理が受注データより後加工指示書を作成して印刷を行う後加工指示書作成と、仕上がった印刷物を社外加工用の梱包を行う梱包と、前記仕上がった印刷物を社外先に出荷する出荷と、前記社外先で後加工を行う後加工処理と、上記社外より加工済み印刷物を搬入する搬入と、社内で後加工を行う社内後加工処理と、加工済印刷物を確認し汚れ・破損・印刷数などのチェックを行う検品と、前記加工済印刷物を顧客用に納品書とともに梱包を行う梱包と、前記加工済印刷物を指定された発送先に発送する納品発送とから成り、また前記の処理管理システムにおける納品情報登録処理が受注済データより未納品分のデータを検索する受注済未納品発注検索と、前記の検索結果より納品データをデータベースに登録する納品情報追加登録とから成り、また前記の処理管理システムにおけるデータバックアップ処理がバックアップ対象となる入稿データを検索するバックアップ対象データ検索と、前記の検索結果を元にバックアップ行う入稿データで使用しているアプリケーションを起動する対応アプリケーション起動と、前記対応アプリケーションより入稿データのＰＤＦファイルを作成するＰＤＦ化実行と、前記作成したＰＤＦファイルをＤＶＤに書き込むバックアップ処理とから成り、また前記の処理管理システムにおける出荷情報処理が納品済データより未出荷分のデータを検索する納品対象発注データ検索と、前記の検索結果より出荷情報データをデータベースに登録する出荷情報追加登録と、前記で登録された出荷データを配信する出荷情報配信とから成り、また前記の処理管理システムにおける請求処理が受領済データより該当締め日までの未請求分のデータを検索する受領済未請求発注データ検索と、前記の検索結果より請求情報データをデータベースに登録する請求情報作成と、前記で登録された請求情報データより請求データを作成する請求データ作成と、前記で作成した請求データを送信する請求データ送信とから成り、また前記の処理管理システムにおける受領督促処理が納品済データより未受領分のデータを検索する納品
済未受
領発注データ検索と前記の検索結果より督促情報データをデータベースに登録する督促情報作成と、前記で登録された督促情報データより督促用メールを作成する督促メール作成と、発注元に送信する督促メール配信とから成り、また前記の処理管理システムにおける顧客校正用ＰＤＦ作成処理が校正出し対象となる発注データを検索する校正出し対象発注データ検索と、前記の検索結果を元に校正出し対象入稿データで使用しているアプリケーションを起動する対応アプリケーション起動と、前記の対応アプリケーションより入稿データのＰＤＦファイルを作成するＰＤＦ化実行と、上記の検索結果を元に校正依頼用メールの作成を行う校正依頼メール作成と、発注元に送信する校正依頼メール送信とから成り、また前記の処理管理システムにおける受注変更処理が受注変更を行う受注の受注番号を入力し受注内容を検索する変更対象発注データ検索と、前記の受注内容に変更された内容をデータベースに登録する受注内容変更登録と、受注情報の変更登録を完了する受注変更完了とから成り、また前記の処理管理システムにおける受注取消処理が受注取消しを行う受注の受注番号を入力して受注内容を検索する取消対象発注データ検索と前記の受注情報をデータベースより削除する取消実行と、前記の受注情報を取消して登録を完了する受注取消完了とから成り、また前記の処理管理システムにおける発注データ受取処理が購買システムで承認された発注データを受け取る承認済発注データ受取と、前記で受け取った発注データをデータベースに登録する発注データ登録とから成るフルカラーオンデマンド印刷サービス処理管理システムの提供にある。
【発明の効果】
【０００７】
本発明は、オンデマンド印刷発注システムにおいてオンデマンド印刷発注システムの概要説明及び利用方法の閲覧用ページを有するシステム概要と、前記システムでの提供サービスの案内を表示するサービス案内と、常備用紙・特注用紙等の説明及び案内を表示する用紙案内と、製品加工の種類・説明及び案内を表示する加工案内と、から構成されるシステムから構成されることを特徴とするフルカラーオンデマンド印刷サービス処理管理システムであり、また前記の処理管理システムにおいて新規注文処理・再印刷（増刷）処理・テンプレート注文処理・見積検討処理・受領情報入力処理とから構成される社外処理管理システムと、顧客情報登録・品目情報登録・用紙情報登録・テンプレート情報登録・後加工情報登録・受注登録処理・テスト印刷処理・本印刷処理・後加工納品処理・納品情報登録処理・データバックアップ処理・出荷情報処理・請求処理・受領督促処理・顧客校正用ＰＤＦ作成処理・受注変更処理・受注取消処理・発注データ受取処理とから構成される社内及び管理システムとから成り、また前記の処理管理システムにおける新規注文処理が紙種類・後加工種類・数量及び印刷方式の完成商品情報から商品価格を算出して画面上に表示する見積検討と、入稿データ・使用アプリケーション・後加工内容及び部数の登録画面を表示する入稿データ登録画面表示と、前記入力内容を確認して登録を行う入稿データ登録実行と、前記入稿データの正否を画面に表示する入稿データ確認画面表示と、前記入稿データの正否を確認する入稿データ確認画面実行と、前記登録内容すべての正否を確認する画面を表示する最終確認面表示と、前記内容の最終確認をする最終確認実行と、前記で登録内容で納品日を算出する納品日設定と、前記算出された納品日を付けかつ注文完了となる画面を表示する注文登録完了と、前記算出された納品日を付けかつ承認後に注文完了となる画面を表示する注文登録完了と、前記完了見積を購買システム用データに変換して送信を行う購買システム見積データ送信から成り、また前記の処理管理システムにおける再印刷（増刷）処理が注文者ＩＤ及び注文番号をデータベースより検索する過去注文情報検索と、前記の注文者ＩＤ及び注文番号より過去の注文を検索して過去注文一覧を作成しかつ選択できる画面を表示する過去注文情報一覧選択表示と、前記の一覧より今回再印刷（増刷）を依頼する一注文を選択し実行する過去注文情報一覧選択実行と、前記選択された注文の入稿データをＰＤＦで表示する原稿確認（ＰＤＦ）と、紙種類・後加工種類・数量及び印刷方式の完成商品の情報から商品価格を算出して画面上に表示する見積検討と、前記の検討結果を反映して注文部数を入力できる画面を表示する注文部数入力と、前記で登録（入力）した内容すべての正否確認の画面を表示する最終確認画面表示と、前記内容の最終確認をする最終確認実行と、前記登録（入力）内容の納品日を算出する納品日設定と、前記で算出の納品日を付けて注文完了となる画面を表示する注文登録完了と、前記完了見積の内容を購買システム用データに書換して送信を行う購買システム見積データ送信と、前記選択内容の不正エラーを表示するエラー表示と、前記入力内容の不正エラーを表示するエラー表示とから成り、また前記の処理管理システムにおけるテンプレート注文処理が紙種類・後加工種類・数量及び印刷方式の完成商品の情報から商品価格を算出し画面上に表示する見積検討と、登録されている品目データを検索して品目一覧を作成して選択する画面を表示する品目選択画面表示と、前記一覧より発注する一品目を選択して実行する品目選択実行と、紙種別・印刷面・ページ数・部数及び後加工の各項目を入力する画面を表示する注文内容入力画面表示と、前記入力の項目で確認してデータベースに登録する注文内容入力実行と、上記品目に対応するテンプレートを検索する商品対応テンプレート検索と、前記の検索内容からテンプレート一覧を作成して選択できる画面を表示するテンプレート一覧選択表示と、前記一覧より一テンプレートを選択して実行するテンプレート一覧選択実行と、前記の検索内容から差込画像一覧を作成して選択できる画面を表示する差込画像選択画面表示と、前記一覧より差込画像を選択して実行する差込画像選択実行と、前記選択の差込画像で正否を確認する画面を表示する差込画像選択確認と、使用するテキストデータを入力できる画面を表示するテキストデータ入力画面表示と、前記入力内容を確認してデータベースに登録するテキストデータ入力実行と、前記入力の正否を確認させる画面を表示するテキストデータ入力確認と、使用する入稿データを登録できる画面を表示する差込入稿データ登録画面表示と、前記登録された内容を確認してデータベースに登録する差込入稿データ登録実行と、前記登録内容の正否を確認させる画面を表示する差込入稿データ確認画面表示と、上記で登録（入力）した内容のすべてを確認する画面を表示する最終確認画面表示と、前記内容の正否を確認する最終確認実行と、上記登録（入力）内容の納品日を算出する納品日設定と、前記算出の納品日を付けて注文完了となる画面を表示する注文登録完了と、前記完了見積の内容を購買システム用データに変換して返信を行う購買システム見積データ送信と、品目選択実行の選択内容不備エラーを表示するエラー表示と、注文内容入力実行で入力内容の不備エラーを表示するエラー表示と、から成るり、また前記の処理管理システムにおける見積検討処理がデータベースに登録されている商品アイテム一覧を作成して選択できる画面を表示する商品アイテム一覧選択と、前記の一覧より一商品アイテムを選択し実行する商品アイテム一覧選択実行と、前記選択された商品アイテムに対応する用紙を検討する対応用紙検索と、前記の検索結果より対応用紙一覧を作成して選択できる画面を表示する対応用紙選択一覧画面表示と、前記の一覧より一商品アイテムを選択し実行する対応用紙選択実行と、印刷する面が片面か両面かを選択する画面を表示する片面及び両面印刷選択と、一部当りの印刷枚数を入力する画面を表示する一部当り印刷枚数選択と、部数を入力する画面を表示する印刷部数入力と、前記選択された商品アイテムに対応する後加工検索する対応後加工検索と、前記の検索結果より後加工一覧を作成して選択できる画面を表示する後加工一覧選択画面表示と、前記の一覧より一後加工を選択し実行する後加工一覧選択実行と、上記選択かつ入力された内容を元に見積金額を算出する見積金額算出と、前記見積内容を確認できるがめを表示する見積内容表示と、前記見積内容が正しいかどうか確認させる画面を表示する最終確認画面表示と、前記の内容が正しいかどうかを確認させる最終確認実行と、上記見積の番号を検索する見積番号付与と、前記付与見積番号を付けかつ見積内容をＰＤＦ化して画面に表示する見積書作成（ＰＤＦ）と、前記見積算出が完了となる画面を表示する見積り検討完了とから成り、また前記の処理管理システムにおける受領情報入力処理が注文者ＩＤ及びパスワードより未受領注文を検索する未受領注文情報検索と、前記の検索内容から未受領情報一覧を作成して選択できる画面を表示する未受領情報一覧選択画面表示と、前記の一覧より受領する注文を選択して実行する未受領情報一覧選択実行と、受領情報登録が完了となる画面を表示する受領情報登録完了と、前記選択の不備エラーを表示するエラー表示とから成り、また前記の処理管理システムにおける顧客情報登録が顧客名を入力する画面を表示する顧客名入力と、前記の顧客名をデータベースより検索して新規顧客か登録済顧客かを確認する該当顧客情報検索と、発注拠点・本社住所地・取引担当代表者名・連絡先・納品先情報・請求先情報・承認方法の新規登録又は内容の変更登録を行う登録情報入力と顧客の情報を登録完了する登録完了とから成り、また前記の処理管理システムにおける品目情報登録が品目名を入力する画面を表示する品目名入力と、前記の品目名をデータベースより検索して新規品目か登録済品目かを確認する該当品目情報検索と、対応用紙・基本料金・対応後加工などの新規登録又は内容の変更登録を行う登録情報入力と上記の登録品目毎に基本納期の登録を行う納期情報入力と、前記品目情報の登録を完了する登録完了とから成り、また前記の処理管理システムにおける用紙情報登録及び、用紙名を入力する画面を表示する用紙名入力と、前記用紙名をデータベースより検索しかつ新規用紙か登録用紙かを確認する該当用紙情報検索と、適応価格・基本料金などの新規登録又は内容の変更登録を行う登録情報入力と、登録用紙毎に基本納期の登録を行う納期情報入力と、用紙情報の登録を完了する登録完了とから成り、また前記の処理管理システムにおけるテンプレート情報登録がテンプレート名を入力する画面を表示するテンプレート名入力と、前記のテンプレートをデータベースより検索し、かつ新規テンプレートか登録済テンプレートかを確認する該当テンプレート情報検索と、新規登録・変更・削除・表示制限の登録を行うテンプレート情報登録と、テンプレート情報の登録を完了する登録完了とから成り、また前記の処理管理システムにおける後加工情報登録が後加工名を入力する画面を表示する後加工名入力と、前記の後加工名をデータベースより検索し、かつ新規後加工か登録済後加工かを確認する該当後加工情報検索と、適応価格・基本料金などの新規登録又は内容の変更登録を行う登録情報入力と、上記の登録後加工毎に基本納期の登録を行う納期情報入力と、後加工情報の登録を完了する登録完了とから成り、また前記の処理管理システムにおける受注登録処理が承認済又は承認不要の発注データより未受注の発注データを検索する承認済未受注データ発注検索と、前記の検索結果より発注データをデータベースに登録する受注管理情報追加登録と、上記の検索結果より発注データに付随する入稿データをデータベースに登録する入稿データ情報追加登録と上記の検索結果より受注情報一覧表を作成し印刷する受注情報一覧作成印刷とから成り、また前記の処理管理システムにおけるテスト印刷処理が受注情報一覧を参照しテスト印刷を行う受注で使用しているアプリケーションを起動する対応アプリケーションの起動と、前記で起動したアプリケーションより印刷を行うテスト印刷と、色具合・レイアウトバランスの校正と、前記校正校正結果より必要があれば発注者に問い合わせを行う問合と、前記の問い合わせのうえ差替えるデータを再入稿して再登録を行う入稿データの再登録と、前記入稿データの再登録で生じた受注内容の変更を行う受注変更と、上記問い合わせのうえ注文の取消しを行う注文取消と、注文の取消しで生じた受注情報の取消しを行う受注取消と、問い合わせのうえ業務オペレーターが入稿されたデータのマスターの手直しを行う微調整とから成り、また前記の処理管理システムにおける本印刷処理がテスト印刷を参照し本印刷を行う受注で使用しているアプリケーションを起動する対応アプリケーション起動と、前記で起動したアプリケーションより印刷を行う本印刷と、印刷物を確認し汚れ・破損・印刷数などのチェックを行う検品と、から成る請求項１及び２記載のフルカラーオンデマンド印刷サービス処理管理システム。
【０００８】
請求項１記載の処理管理システムにおける後加工・納品処理が、受注データより後加工指示書を作成して印刷を行う後加工指示書作成と、仕上がった印刷物を社外加工用の梱包を行う梱包と、前記仕上がった印刷物を社外先に出荷する出荷と、前記社外先で後加工を行う後加工処理と、上記社外より加工済み印刷物を搬入する搬入と、社内で後加工を行う社内後加工処理と、加工済印刷物を確認し汚れ・破損・印刷数などのチェックを行う検品と、前記加工済印刷物を顧客用に納品書とともに梱包を行う梱包と、前記加工済印刷物を指定された発送先に発送する納品発送とから成り、また前記の処理管理システムにおける納品情報登録処理が受注済データより未納品分のデータを検索する受注済未納品発注検索と、前記の検索結果より納品データをデータベースに登録する納品情報追加登録と、から成る請求項１及び２記載のフルカラーオンデマンド印刷サービス処理管理システム。
【０００９】
請求項１記載の処理管理システムにおけるデータバックアップ処理が、バックアップ対象となる入稿データを検索するバックアップ対象データ検索と、前記の検索結果を元にバックアップ行う入稿データで使用しているアプリケーションを起動する対応アプリケーション起動と、前記対応アプリケーションより入稿データのＰＤＦファイルを作成するＰＤＦ化実行と、前記作成したＰＤＦファイルをＤＶＤに書き込むバックアップ処理とから成り、また前記の処理管理システムにおける出荷情報処理が納品済データより未出荷分のデータを検索する納品対象発注データ検索と、前記の検索結果より出荷情報データをデータベースに登録する出荷情報追加登録と、前記で登録された出荷データを配信する出荷情報配信とから成り、また前記の処理管理システムにおける請求処理が受領済データより該当締め日までの未請求分のデータを検索する受領済未請求発注データ検索と、前記の検索結果より請求情報データをデータベースに登録する請求情報作成と、前記で登録された請求情報データより請求データを作成する請求データ作成と、前記で作成した請求データを送信する請求データ送信とから成り、また前記の処理管理システムにおける受領督促処理が納品済データより未受領分のデータを検索する納品済未受領発注データ検索と前記の検索結果より督促情報データをデータベースに登録する督促情報作成と、前記で登録された督促情報データより督促用メールを作成する督促メール作成と、発注元に送信する督促メール配信と、から成る請求項１及び２記載のフルカラーオンデマンド印刷サービス処理管理システム。
【００１０】
請求項１記載の処理管理システムにおける顧客校正用ＰＤＦ作成処理が、校正出し対象となる発注データを検索する校正出し対象発注データ検索と、前記の検索結果を元に校正出し対象入稿データで使用しているアプリケーションを起動する対応アプリケーション起動と、前記の対応アプリケーションより入稿データのＰＤＦファイルを作成するＰＤＦ化実行と、上記の検索結果を元に校正依頼用メールの作成を行う校正依頼メール作成と、発注元に送信する校正依頼メール送信とから成り、また前記の処理管理システムにおける受注変更処理が受注変更を行う受注の受注番号を入力し受注内容を検索する変更対象発注データ検索と、前記の受注内容に変更された内容をデータベースに登録する受注内容変更登録と、受注情報の変更登録を完了する受注変更完了とから成りまた、前記の処理管理システムにおける受注取消処理が受注取消しを行う受注の受注番号を入力して受注内容を検索する取消対象発注データ検索と前記の受注情報をデータベースより削除する取消実行と、前記の受注情報を取消して登録を完了する受注取消完了とから成り、また前記の処理管理システムにおける発注データ受取処理が購買システムで承認された発注データを受け取る承認済発注データ受取と、前記で受け取った発注データをデータベースに登録する発注データ登録とから成るフルカラーオンデマンド印刷サービス処理管理システムであるから、従来システムよりも次のような多くの効果が得られる。
ａ、本発明システムによれば、全国主要都市に店舗出店を行ない、各種オンデマンド印刷  物の出力サービスを２４時間体制を整えることによって、短時間でしかも低価格の印刷  サービスを提供することが可能となる。
ｂ、また本発明システムを有効活用、例えば顧客との法人契約を締結することによって、  ボリュームディスカウントを見込んだ限定価格でのサービスを審理することも可能とな  る。
ｃ、更に他社のデジタルフルカラー印刷機を導入することによって、最高品質のオンデマ  ンド印刷を提供することが可能となる。
ｄ、またネット注文や自動処理システムを作成することによって、納期の短縮化を図るこ  とが可能となる。
ｅ、各顧客の購買システムへの対応を行うことによって、ペーパーレス及び大幅な経費削  減を図るためのサポートを行うことも可能となる。
ｆ、更に他社の購買システムとシームレスに接続することによって、要求元（発注者）の  作業を軽減することができるとともに、購買システムと発注システムの相互接続するこ  とによって、ユーザー認証行為を不要とすることができる。
【発明を実施するための最良の形態】
【００１１】
以下、図面に示したフローチャートに基づいて本発明システムの実施形態について説明する。
【００１２】
図１は、本発明のフルカラーオンデマンド印刷サービス処理管理システムの全体概要を示したフローチャートであり、図２は本発明システムの注文処理概要を示したフローチャートであり、図３は本発明システムの機器構成イメージを示したフローチャートである。      
【００１３】
以下、図４から図２８により本発明システムの具体的なシステムについて説明する。
【００１４】
【表１】
2005293452.tif 000003
【００１５】
【表２】
2005293452.tif 000004
【００１６】
【表３】
2005293452.tif 000005
【００１７】
【表４】
2005293452.tif 000006
【００１８】
【表５】
2005293452.tif 000007
【００１９】
【表６】
2005293452.tif 000008
【００２０】
【表７】
2005293452.tif 000009
【００２１】
【表８】
2005293452.tif 000010
【００２２】
【表９】
2005293452.tif 000011
【００２３】
【表１０】
2005293452.tif 000012
【００２４】
【表１１】
2005293452.tif 000013
【００２５】
【表１２】
2005293452.tif 000014
【００２６】
【表１３】
2005293452.tif 000015
【００２７】
【表１４】
2005293452.tif 000016
【００２８】
【表１５】
2005293452.tif 000017
【００２９】
【表１６】
2005293452.tif 000018
【００３０】
【表１７】
2005293452.tif 000019
【００３１】
【表１８】
2005293452.tif 000020
【００３２】
【表１９】
2005293452.tif 000021
【００３３】
【表２０】
2005293452.tif 000022
【００３４】
【表２１】
2005293452.tif 000023
【００３５】
【表２２】
2005293452.tif 000024
【００３６】
【表２３】
2005293452.tif 000025
【００３７】
【表２４】
2005293452.tif 000026
【００３８】
【表２５】
2005293452.tif 000027
【００３９】
【表２６】
2005293452.tif 000028
【００４０】
【表２７】
2005293452.tif 000029
【００４１】
【表２８】
2005293452.tif 000030
【００４２】
【表２９】
2005293452.tif 000031
【００４３】
【表３０】
2005293452.tif 000032
【００４４】
【表３１】
2005293452.tif 000033
【００４５】
【表３２】
2005293452.tif 000034
【００４６】
【表３３】
2005293452.tif 000035
【００４７】
【表３４】
2005293452.tif 000036
【００４８】
【表３５】
2005293452.tif 000037
【００４９】
【表３６】
2005293452.tif 000038
【００５０】
【表３７】
2005293452.tif 000039
【００５１】
【表３８】
2005293452.tif 000040
【００５２】
【表３９】
2005293452.tif 000041
【００５３】
【表４０】
2005293452.tif 000042
【００５４】
【表４１】
2005293452.tif 000043
【００５５】
【表４２】
2005293452.tif 000044
【００５６】
【表４３】
2005293452.tif 000045
【００５７】
【表４４】
2005293452.tif 000046
【００５８】
【表４５】
2005293452.tif 000047
【００５９】
【表４６】
2005293452.tif 000048
【００６０】
【表４７】
2005293452.tif 000049
【００６１】
【表４８】
2005293452.tif 000050
【００６２】
【表４９】
2005293452.tif 000051
【００６３】
【表５０】
2005293452.tif 000052
【００６４】
【表５１】
2005293452.tif 000053
【００６５】
【表５２】
2005293452.tif 000054
【００６６】
【表５３】
2005293452.tif 000055
【図面の簡単な説明】
【００６７】
【図１】本発明システムの全体概要フローチャート
【図２】本発明システムの注文処理概要フローチャート
【図３】本発明システムの機器構成イメージフローチャート
【図４】本発明システムの購買システムメニューフローチャート
【図５】本発明システムの新規注文フローチャート
【図６】本発明システムの再印刷（増刷）フローチャート
【図７】本発明システムのテンプレート注文フローチャート
【図８】本発明システムの見積検討フローチャート
【図９】本発明システムの受領情報入力フローチャート
【図１０】本発明システムの処理メニューフローチャート
【図１１】本発明システムの顧客情報登録フローチャート
【図１２】本発明システムの品目情報登録フローチャート
【図１３】本発明システムの用紙情報登録フローチャート
【図１４】本発明システムのテンプレート情報登録フローチャート
【図１５】本発明システムの後加工情報登録フローチャート
【図１６】本発明システムの受注登録処理フローチャート
【図１７】本発明システムのテスト印刷処理フローチャート
【図１８】本発明システムの本印刷処理フローチャート
【図１９】本発明システムの後加工処理フローチャート
【図２０】本発明システムの納品情報登録処理フローチャート
【図２１】本発明システムのデータバックアップ処理フローチャート
【図２２】本発明システムの出荷情報登録処理フローチャート
【図２３】本発明システムの請求処理フローチャート
【図２４】本発明システムの受領督促処理フローチャート
【図２５】本発明システムの顧客校正用ＰＤＦ作成処理フローチャート
【図２６】本発明システムの受注変更処理フローチャート
【図２７】本発明システムの受注取消処理フローチャート
【図２８】本発明システムの発注データ受取処理フローチャート
【図１】
2005293452.tif 000056
【図２】
2005293452.tif 000057
【図３】
2005293452.tif 000058
【図４】
2005293452.tif 000059
【図５】
2005293452.tif 000060
【図６】
2005293452.tif 000061
【図７】
2005293452.tif 000062
【図８】
2005293452.tif 000063
【図９】
2005293452.tif 000064
【図１０】
2005293452.tif 000065
【図１１】
2005293452.tif 000066
【図１２】
2005293452.tif 000067
【図１３】
2005293452.tif 000068
【図１４】
2005293452.tif 000069
【図１５】
2005293452.tif 000070
【図１６】
2005293452.tif 000071
【図１７】
2005293452.tif 000072
【図１８】
2005293452.tif 000073
【図１９】
2005293452.tif 000074
【図２０】
2005293452.tif 000075
【図２１】
2005293452.tif 000076
【図２２】
2005293452.tif 000077
【図２３】
2005293452.tif 000078
【図２４】
2005293452.tif 000079
【図２５】
2005293452.tif 000080
【図２６】
2005293452.tif 000081
【図２７】
2005293452.tif 000082
【図２８】
2005293452.tif 000083